(57)【要約】      （修正有）【課題】ホースの応力変形を解消し、ホースを保護し、繰返し折れ曲がることによって破裂するのを防止するクイックホースカップリングを提供する。【解決手段】上結合部１１はロック機構および接続通路を含み、下結合部１２は接続スリーブ１２２、螺接部１２３、ヘリコイルユニット１２４およびストッパー部１２５を含む。前述した弾性装置は耐クリープ性を有するスクリューバネであり、該スクリューバネは長管状に延伸する。前記スクリューバネの一端は上結合部１１および下結合部１２の間に装着され、もう１方の延長端部は下結合部の末端の開口部から露出および延伸し、径方向に延伸して回転する複数のストッパー構造が形成される。ホース３を下結合部１２に装着し、同時にバネ体をホース３の管内に装入することにより、ホース３の応力変形を解消し、ホース３を保護し、繰返し折れ曲がることによって破裂するのを防止する。【選択図】図２
2014156906.tif 000002
【特許請求の範囲】
【請求項１】
結合装置および弾性装置を含み、結合装置が上結合部および下結合部を含み、弾性装置がスクリューバネであり、前記上結合部がロック機構及び接続通路を含み、前記下結合部が接続スリーブ、螺接部、ヘリコイルユニットおよびストッパー部を含み、前記接続スリーブがホースを接続する機能を提供し、前記ロック機構が散水器、散水ノズル、蛇口の管の口と迅速に結合するクイックホースカップリングであって、
前述した弾性装置がスクリューバネの形で、間隔が開いたコイルを有し、これが３種の直径サイズを有し、さらに一体に組み合わせられたバネであり、第１端部、第２端部、第３端部および第４端部を含み、このうち、第１端部のコイル直径が最大であり、第３端部のコイル直径が第１端部より小さく、第２端部および第４端部のコイル直径が第３端部より小さいことを特徴とする、クイックホースカップリング。
【請求項２】
該弾性装置がスクリューバネの形で、間隔が開いたコイルを有し、コイルが円形の横断面を有してもよく、またはコイルの横断面が矩形であることを意味する、いわゆる「板バネ」でもよく、バネコイルが金属またはプラスチックで製造することができる、請求項１に記載のクイックホースカップリング。
【請求項３】
該弾性装置の第１端部、第３端部が、上下に挟み合う方式で上結合部および下結合部の間に位置が確定され、さらに弾性装置の第４端部は、接続スリーブから長い部分が外に現れて延伸したものである、請求項１に記載のクイックホースカップリング。
【請求項４】
該弾性装置の第１端部が接続スリーブの上端表面と係合し、第３端部が接続スリーブ末端の外表面と係合する、請求項１に記載のクイックホースカップリング。
【請求項５】
該弾性装置の第２端部および第４端部のコイル径が同じである、請求項１に記載のクイックホースカップリング。
【請求項６】
該弾性装置の第２端部が接続スリーブの管内に位置する、請求項１に記載のクイックホースカップリング。
【発明の詳細な説明】
【背景技術】
【０００１】
一般的な園芸用のガーデンホースは、ゴムまたはその他の適した弾性、可撓性材料により製造される。ホースを散水器、散水ノズル、蛇口の接続口と迅速に接続、固定するために、市場には多くのクイックホース継手が存在する。継手およびホースを接続した後の最大の問題は、ホースが不注意により踏まれて折れ曲がるか、またはホースが引っ張られたり、繰返しねじれたりすることがたびたび起こり、これにより、ホースの壁が弱まり、最終的に容易に破裂し、漏水が始まることである。
【０００２】
したがって、業者によっては、ホースの端部において、１つのバネをホースに挿入して結合する設計を利用しており、これはすでに各種の様々な応力緩和設計に用いられている。すでに米国特許第４４８７４４４号および米国特許第７９０９７１号で開示されており、内部延伸のホースおよびその内表面に固定されるバネを利用する。米国特許第７９０９７１号の構造は、前端に拡大部が設けられたバネを有する。ホースの端部内に金属管６を取り付け、その後、バネ１３を硬質の管体に嵌入させる。バネ１３の拡大部１４は、金属管６の端部の位置を制限することができる。続いて、金属管６およびバネ１４をホース２の端部に嵌入させた後、ホース２を継手末端９に接続する。ホース２の端部の外径において、ｆｅｒｒｕｌｅ（金属環）１２によりホース２を継手末端９で固定し、覆う。米国特許番号４４８７４４４号について、該特許構造も一様に、金属管を用いてホースの接続継手部分を覆わなければならない。
【０００３】
ほかに米国特許第６６０４７５８号について、その保護装置は、継手結合部の外径にストッパー部２６が設けられ、該ストッパー部２６にスクリューバネ２３を１つ装着し、ホース１２の上端部に本体の結合部１４が挿入されると、該スクリューバネ２３はちょうどよくホース１２に装着される。前記スクリューバネは一端にストッパー部２６に嵌める環状を有し、このストッパー部は１つのくぼみである。ストッパー部の下端にリブ２９が設けられ、スクリューバネ２３が脱離するのを防止するために設置される。したがって、ホースに結合部を嵌入させる必要があり、そうしなければバネの脱離を防止することができない。バネが脱離するか、またはバネの端部がホース部分で折れ曲がり、バネが逆にホースの内径の壁面を破壊することがあるのを防止するため、該発明者は補強構造を強化した。この補強構造はホースに結合部を嵌入させた後、ホースの外径を１つの硬い防護カバー２５で覆う。この防護カバー２５は結合部に接続したすべてのホース部を含む範囲を覆い、これにより、スクリューバネ２３の脱離を防止し、同時にバネの接続端を固定する。
【０００４】
以上、これらの周知の構造は、継手、ホースおよびスクリューバネを含み、全体が組み合わされた構造であることを表すが、これらは便利で迅速なホースカップリングではなく、すでにホースが装着された継手である。スクリューバネおよび継手、ホースの組立工程は多すぎで、構造が複雑である。金属カバーでホースを覆う必要があるため、機械および器具で加圧しなければ金属管およびホースの緊密結合を達成することができず、さらにはバネをホースの端部内に固定および位置させることができない。
【先行技術文献】
【特許文献】
【０００５】
【特許文献１】米国特許第４４８７４４４号
【特許文献２】米国特許第７９０９７１号
【特許文献３】米国特許第６６０４７５８号
【発明の概要】
【発明が解決しようとする課題および課題を解決するための手段】
【０００６】
クイックホースカップリング（ｑｕｉｃｋ  ｈｏｓｅ  ｃｏｕｐｌｉｎｇ）は、園芸ホースおよび散水器、散水ノズル、蛇口を接続するクイックカップリングを指し、クイックカップリングは結合装置および弾性装置を含む。
【０００７】
結合装置は上結合部および下結合部を含み、弾性装置はスクリューバネである。前記上結合部はロック機構および接続通路を含み、前記下結合部は接続スリーブおよび螺接部、ヘリコイルユニット、ストッパー部を含む。前記ロック機構は、散水器、散水ノズル、蛇口の接続口を留めて結合する固定連結機能を提供する。接続通路は接続管を嵌入させる空間通路を提供し、前述した接続スリーブはホースを外部接続する機能を提供する。ヘリコイルユニットおよび螺接部を互いに螺合接続させると、ストッパー部が径方向に内圧をかけることができ、これにより、ストッパー部の圧力がホースおよび接続管の緊密結合を脱落させにくくする。
【０００８】
ロック機構は２つの異なる機能を有する。散水器、散水ノズル、蛇口の接続口を迅速に結合する以外に、迅速にロックを解除し、接続口を脱離させる。前記接続通路の径は接続スリーブより大きく、さらに互いに一体に連結される。
【０００９】
本発明は、ホース接続を改良したクイックカップリングに焦点を合わせており、これはホースが折れ曲がり、ねじれが発生するのを防止する、応力変形を解消する弾性装置を有する。この種の弾性装置は結合装置内に簡単に装着することができ、前述した弾性装置は一端の長い部分が結合装置外に露出する。該弾性装置は簡易な組立方法により結合装置と接続される。結合装置から外に現れた弾性体をホースに装着することができ、ホースが折れ曲がって変形し、破裂するのを防止することができる。
【００１０】
弾性装置は１つのスクリューバネであり、その全長の構造がホースの応力を緩和させる。スクリューバネは第１端部、第２端部、第３端部および第４端部を有し、該第１端部のコイル径は第２端部、第３端部および第４端部より大きく、該第２端部および第４端部は長いスクリューコイルであり、第２端部および第４端部のコイル径は第３端部より小さい。前述した第１端部は拡大したストッパー機能を提供し、その径は上結合部の接続通路の径よりやや小さいが、接続スリーブの上表面にちょうど係合し、位置を制限することができる。第２端部および第４端部の径は同じであり、なおかつその径は接続スリーブの内径より小さい。第３端部のコイル径は接続スリーブ末端の外径より大きく、これにより、第３端部は接続スリーブ末端とちょうど係合し、固定およびストッパーの機能が形成される。言い換えると、第１端部は接続スリーブの上表面と係合し、第３端部は接続スリーブ末端の外表面と係合し、上下が挟み合う固定機能が形成される。第４端部は接続スリーブの端部から伸びて部分的に外に現れ、第４端部のバネはホース本体に装着される部分を提供する。したがって、ホース端部に湾曲を発生させる可能性がある応力およびもつれを解消し、ホースが折れ曲がって変形し破裂するのを防止する。
【図面の簡単な説明】
【００１１】
【図１】図１は、本発明の状態図である。
【図２】図２は、本発明の分解図である。
【図３】図３は、本発明の上面立体図である。
【図４】図４は、本発明の断面実施図１である。
【図５】図５は、本発明の断面実施図２である。
【図６】図６は、本発明のホースを結合した実施断面図１である。
【図７】図７は、本発明のホースを結合した実施断面図２である。
【発明を実施するための形態】
【実施例】
【００１２】
図１から図６に示すように、クイックホースカップリング（ｑｕｉｃｋ  ｈｏｓｅ  ｃｏｕｐｌｉｎｇ）は結合装置１および弾性装置２を含む。
【００１３】
該結合装置１は上結合部１１および下結合部１２を含み、該弾性装置２はスクリューバネである。前記上結合部１１はロック機構１１２および接続通路１１１を含み、前記下結合部１２は接続スリーブ１２２、螺接部１２３、ヘリコイルユニット１２４およびストッパー部１２５を含む。前記ロック機構１１２は散水器、散水ノズル、蛇口の接続口を留めて結合する固定連結機能を提供し、前記接続通路１１１は接続口を嵌入させる空間通路を提供する。
【００１４】
図６を参照されたい。前述した接続スリーブ１２２は、ホース３を外部接続する機能を提供する。ヘリコイルユニット１２４および螺接部１２３を互いに螺合接続させると、ストッパー部１２５が径方向に内圧をかけることができ、ストッパー部１２５の圧力がホース３および接続スリーブ１２２の緊密結合を脱落させにくくする。該ロック機構１１２は２つの異なる機能を有し、散水器、散水ノズル、蛇口の接続口を迅速に結合する以外に、相対して迅速にロックを解除し、接続口を脱離させる。前記接続通路１１１の径は接続スリーブ１２２より大きく、さらに互いに一体に連結される。
【００１５】
本発明は、ホース３接続を改良したクイックカップリングに焦点を合わせており、これはホース３が折れ曲がり、ねじれが発生するのを防止する、応力変形を解消する弾性装置２を有する。この種の弾性装置２は結合装置１内に簡単に装着することができ、前述した弾性装置２は一端の長い部分が結合装置１外に露出する。該弾性装置２は簡易な組立方法により結合装置１と接続される。結合装置１から外に現れた弾性装置２をホース３に装着することができ、さらにホース３が折れ曲がって変形し、破裂するのを防止することができる。
【００１６】
図４および図５に示すように、弾性装置２は１つのスクリューバネであり、その全長の構造がホース３の応力を緩和させる機能を有する。スクリューバネは第１端部２１、第２端部２３、第３端部２２および第４端部２４を有し、該第１端部２１のコイル径は第２端部２３、第３端部２２および第４端部２４より大きく、該第２端部２３および第４端部２４は長いスクリューコイルであり、第２端部２３および第４端部２４のコイル径は第３端部２２より小さい。
【００１７】
前述した第１端部２１は拡大したストッパー機能を提供し、その径は上結合部１１の接続通路１１１の径よりやや小さいが、接続スリーブ上端１２２ａの表面の径より大きい。したがって、接続スリーブ上端１２２ａの表面とちょうど係合し、位置を制限することができる。前述した第２端部２３および第４端部の径は同じであり、さらにその径は接続スリーブ１２２の内径より小さい。該第３端部２２のコイル径は接続スリーブ末端１２２ｂの外径より大きく、これにより、第３端部２２が接続スリーブ末端１２２ｂとちょうど係合し、固定およびストッパーの機能が形成される。言い換えると、第１端部２１は接続スリーブ上端１２２ａの表面と係合し、第３端部２２は接続スリーブ末端１２２ｂの外表面と係合し、上下が挟み合う固定機能が形成される。該第２端部２３が接続スリーブ１２２の径内に収容されると、第４端部２４は接続スリーブ末端１２２ｂから伸びて部分的に外に現れ、第４端部２４のバネはホース３の端部に装着される部分を提供する。したがって、ホース３の端部に湾曲を発生させる可能性がある応力およびねじれを解消し、ホース３が折れ曲がって変形し破裂するのを防止する。
【００１８】
上記を受け、該弾性装置２および結合装置１の組立方法は以下の通りである。
【００１９】
まず、弾性装置２の第４端部２４を結合装置１の接続通路１１１から装着し、接続スリーブ１２２の内管を通過させ、その接続スリーブ末端１２２ｂから露出させる。このとき、やや力を使って弾性装置２を引っ張って伸ばし、第３端部２２を斜めにして縦方向に変形させる。このように、第３端部２２のコイル径は縮小させることができ、接続スリーブ１２２の径を通過させるのに適合する。続いて、第３端部２２は接続スリーブ末端１２２ｂを通過することができ、ここで弾性装置２を放して元の状態に回復させると、それと同時に第３端部２２のコイル径も接続スリーブ末端１２２ｂの径より大きい径に回復する。このとき、第１端部２１は径が接続スリーブ上端１２２ａの径より大きいため、接続スリーブ上端１２２ａの上表面、同時に上結合部１１の接続通路１１１の底表面と係合し、弾性装置２の第１端部２１、第２端部２３および第３端部２２は、上下に挟み合う方式で上結合部１１および下結合部１２の間に位置が確定される。さらに弾性装置２の第４端部２４は接続スリーブ１２２から長い部分が外に現れて延伸したものである。接続スリーブ１２２をホース３に挿入することにより、弾性装置２の第４端部２４のコイルはホース３の本体まで延伸される。
【００２０】
前記弾性装置２はスクリューバネの形であり、間隔が開いたコイルを有する。これは３種の直径サイズを有し、さらに一体に組み合わせられたバネである。コイルは円形の横断面を有してもよく、またはコイルの横断面が矩形であることを意味する、いわゆる「板バネ」でもよい。弾性装置２のコイルは金属またはプラスチックで製造することができる。図６に示すように、該弾性装置２は結合装置１内で位置を確定することができ、同時に結合装置１の管体内で径方向に自由に回転可能であることが保持される。弾性装置２の第４端部２４のコイルはホース３本体まで延伸し、図７に示すように、該ホース３が湾曲しても、弾性装置２のコイルの制限により、過度に変形し、折れ曲がることがない。したがって、弾性装置２はホース３の端部に湾曲を発生させる可能性がある応力およびねじれを解消することができ、ホース３が折れ曲がって変形し破裂するのを防止する。
【００２１】
上記に記載したのは、本発明の好ましい実施例に過ぎず、本発明の実施の範囲を限定するものではない。すなわち、本発明の特許請求の範囲に基づいて行われる均等変化および修飾は、いずれも本発明の特許範囲に包含される。
【符号の説明】
【００２２】
１  結合装置
１１  上結合部
１１１  接続通路
１１２  ロック機構
１２  下結合部
１２２  接続スリーブ
１２２ａ  接続スリーブ上端
１２２ｂ  接続スリーブ末端
１２３  螺接部
１２４  ヘリコイルユニット
１２５  ストッパー部
２  弾性装置
２１  第１端部
２３  第２端部
２２  第３端部
２４  第４端部
３  ホース
【図１】
2014156906.tif 000003
【図２】
2014156906.tif 000004
【図３】
2014156906.tif 000005
【図４】
2014156906.tif 000006
【図５】
2014156906.tif 000007
【図６】
2014156906.tif 000008
【図７】
2014156906.tif 000009